(57)【要約】【課題】  回復できる劣化成分を考慮した上で、リチウムイオン二次電池の充放電を制御する技術を提供する。【解決手段】  リチウムイオン二次電池の充放電を制御するコントローラ（４０）を有する。コントローラは、リチウムイオン二次電池（１０）の過放電によってリチウムイオン二次電池の容量を回復させる回復処理を行い、回復処理を行った後におけるリチウムイオン二次電池の容量から特定される劣化状態に応じて、リチウムイオン二次電池の充放電を制御する。【選択図】  図２
2011159545.tif 000002
【特許請求の範囲】
【請求項１】
リチウムイオン二次電池の充放電を制御するコントローラを有し、
前記コントローラは、前記リチウムイオン二次電池の過放電によって前記リチウムイオン二次電池の容量を回復させる回復処理を行い、前記回復処理を行った後における前記リチウムイオン二次電池の容量から特定される劣化状態に応じて、前記リチウムイオン二次電池の充放電を制御することを特徴とする制御装置。
【請求項２】
前記コントローラは、基準容量に対する、前記回復処理を行った後の容量の低下率が、前記リチウムイオン二次電池の使用可否を判断するための閾値よりも高いときには、前記リチウムイオン二次電池の充放電を禁止することを特徴とする請求項１に記載の制御装置。
【請求項３】
前記コントローラは、基準容量に対する、前記回復処理を行った後の容量の低下率が、前記リチウムイオン二次電池の充放電を制限するための閾値よりも高いときには、前記リチウムイオン二次電池の充放電を制限することを特徴とする請求項１に記載の制御装置。
【請求項４】
前記コントローラは、前記低下率の変化が許容範囲内に収まるまで、前記回復処理を繰り返して行うことを特徴とする請求項２又は３に記載の制御装置。
【請求項５】
リチウムイオン二次電池の充放電を制御する制御方法であって、
前記リチウムイオン二次電池の過放電によって前記リチウムイオン二次電池の容量を回復させる回復処理を行い、前記回復処理を行った後における前記リチウムイオン二次電池の容量から特定される劣化状態に応じて、前記リチウムイオン二次電池の充放電を制御することを特徴とする制御方法。
【請求項６】
基準容量に対する、前記回復処理を行った後の容量の低下率が、前記リチウムイオン二次電池の使用可否を判断するための閾値よりも高いときには、前記リチウムイオン二次電池の充放電を禁止することを特徴とする請求項５に記載の制御方法。
【請求項７】
基準容量に対する、前記回復処理を行った後の容量の低下率が、前記リチウムイオン二次電池の充放電を制限するための閾値よりも高いときには、前記リチウムイオン二次電池の充放電を制限することを特徴とする請求項５に記載の制御方法。
【請求項８】
前記低下率の変化が許容範囲内に収まるまで、前記回復処理を繰り返して行うことを特徴とする請求項６又は７に記載の制御方法。
【発明の詳細な説明】
【技術分野】
【０００１】
本発明は、リチウムイオン二次電池の容量を回復させる技術に関するものである。
【背景技術】
【０００２】
リチウムイオン二次電池は、保存や通電等によって、容量が低下してしまう。そこで、リチウムイオン二次電池の使用を開始する前の容量（初期容量）と、リチウムイオン二次電池の使用を開始した後の現在の容量とを比較することにより、リチウムイオン二次電池の劣化状態を判定している。そして、リチウムイオン二次電池の劣化状態に応じて、リチウムイオン二次電池の入出力（充放電）を制御している。
【先行技術文献】
【特許文献】
【０００３】
【特許文献１】特開２０００−２７７１６４号公報
【特許文献２】特開２００７−１６６７８９号公報
【特許文献３】特開２００８−０９７９３９号公報
【発明の概要】
【発明が解決しようとする課題】
【０００４】
リチウムイオン二次電池の劣化状態には、回復できる劣化成分と、回復できない劣化成分が含まれていることがある。従来では、リチウムイオン二次電池における現在の容量を単に監視するだけであり、回復できる劣化成分については、何ら考慮されていない。すなわち、リチウムイオン二次電池の劣化状態に、回復できる劣化成分が含まれていると、この劣化成分もリチウムイオン二次電池の劣化として判断されてしまう。
【０００５】
リチウムイオン二次電池の劣化が進行したときには、リチウムイオン二次電池の入出力を制限する制御を行うことがあるが、この場合には、リチウムイオン二次電池の入出力を不必要に制限してしまうことがある。言い換えれば、リチウムイオン二次電池の入出力を制限する必要がないのにもかかわらず、入出力を制限してしまい、リチウムイオン二次電池を効率良く使用することができなくなってしまう。
【０００６】
そこで、本発明の目的は、回復できる劣化成分を考慮した上で、リチウムイオン二次電池の充放電を制御する技術を提供することにある。
【課題を解決するための手段】
【０００７】
本願第１の発明である制御装置は、リチウムイオン二次電池の充放電を制御するコントローラを有する。コントローラは、リチウムイオン二次電池の過放電によってリチウムイオン二次電池の容量を回復させる回復処理を行い、回復処理を行った後におけるリチウムイオン二次電池の容量から特定される劣化状態に応じて、リチウムイオン二次電池の充放電を制御することを特徴とする。
【０００８】
ここで、回復処理を行った後の容量が基準容量に対してどれだけ低下しているかを示す値（低下率）が、リチウムイオン二次電池の使用可否を判断するための閾値よりも高いときには、リチウムイオン二次電池の充放電を禁止することができる。
【０００９】
また、容量の低下率が、リチウムイオン二次電池の充放電を制限するための閾値よりも高いときには、リチウムイオン二次電池の充放電を制限することができる。具体的には、充放電制御に用いられる制御パラメータを、充放電を制限する方向に変化させることができる。例えば、リチウムイオン二次電池の出力電力（又は入力電力）の閾値を下げたり、リチウムイオン二次電池の出力電圧（又は入力電圧）の閾値を下げたりすることができる。
【００１０】
さらに、容量の低下率の変化が許容範囲内に収まるまで、回復処理を繰り返して行うことができる。これにより、リチウムイオン二次電池の容量を安定させることができ、容量を安定させた状態において、リチウムイオン二次電池の充放電を制御することができる。
【００１１】
本願第２の発明は、リチウムイオン二次電池の充放電を制御する制御方法であって、リチウムイオン二次電池の過放電によってリチウムイオン二次電池の容量を回復させる回復処理を行い、回復処理を行った後におけるリチウムイオン二次電池の容量から特定される劣化状態に応じて、リチウムイオン二次電池の充放電を制御することを特徴とする。
【発明の効果】
【００１２】
本発明によれば、リチウムイオン二次電池の劣化成分のうち、容量を回復することができる劣化成分を考慮して、リチウムイオン二次電池の充放電を制御することができる。すなわち、容量を回復することができる劣化状態によって、例えば、リチウムイオン二次電池の充放電が制限されてしまうのを防止でき、リチウムイオン二次電池を効率良く使用することができる。
【図面の簡単な説明】
【００１３】
【図１】リチウムイオン二次電池の充放電を行うシステムの構成を示す概略図である。
【図２】リチウムイオン二次電池における真の容量を特定するための処理を示すフローチャートである。
【図３】リチウムイオン二次電池の容量低下率と、容量回復処理の回数との関係を示す図である。
【図４】リチウムイオン二次電池における容量回復率および保存時間の関係を示す図である。
【図５】保存時間と、保存時間当たりの容量回復率との関係を示す図である。
【図６】リチウムイオン二次電池を保存するときの電圧と、容量回復率との関係を示す図である。
【図７】リチウムイオン二次電池を保存するときの温度と、容量回復率との関係を示す図である。
【発明を実施するための形態】
【００１４】
以下、本発明の実施例について説明する。
【実施例１】
【００１５】
リチウムイオン二次電池の放電および充電を行うシステムについて、図１を用いて説明する。図１は、リチウムイオン二次電池の充放電を行うシステムの構成を示す概略図である。
【００１６】
リチウムイオン二次電池１０は、スイッチ３１，３２を介して外部電源２１に接続されるようになっており、外部電源２１からの電力によってリチウムイオン二次電池１０を充電することができる。また、リチウムイオン二次電池１０は、スイッチ３１，３２を介して負荷２２に接続されており、負荷２２に対して電力を供給（放電）することができる。
【００１７】
コントローラ４０は、スイッチ３１，３２の動作を制御する。言い換えれば、コントローラ４０は、スイッチ３１，３２を切り替えることにより、リチウムイオン二次電池１０の充電および放電を切り替えることができる。また、コントローラ４０は、リチウムイオン二次電池１０の充放電を制御することができる。
【００１８】
なお、図１に示す構成では、１つのリチウムイオン二次電池１０を用いた場合について説明しているが、これに限るものではない。すなわち、複数のリチウムイオン二次電池１０が電気的に接続された組電池を充放電させる場合であっても、図１に示すシステムを用いることができる。ここで、組電池を構成する複数のリチウムイオン二次電池１０は、電気的に直列に接続することができる。また、組電池には、電気的に並列に接続された複数のリチウムイオン二次電池１０が含まれていてもよい。
【００１９】
組電池は、車両に搭載することができ、組電池の出力を用いて車両を走行させたり、車両の制動時に発生する運動エネルギを回生電力として組電池に蓄えたりすることができる。本実施例では、外部電源２１からの電力を組電池に供給するための充電器を、車両に設けることができる。また、組電池を車両に搭載した場合には、負荷２２として、モータを用いることができる。このモータは、組電池からの電力を受けて、車両を走行させるための運動エネルギを発生させる。
【００２０】
次に、本実施例におけるリチウムイオン二次電池１０の制御について、図２を用いて説明する。図２に示す処理は、コントローラ４０によって行うことができる。また、図２に示す処理は、リチウムイオン二次電池１０の使用を開始した後の任意のタイミングで行うことができる。
【００２１】
ステップＳ１０１において、コントローラ４０は、リチウムイオン二次電池１０の容量を測定する。リチウムイオン二次電池１０の容量を測定する方法は、公知の方法を適宜用いることができる。
【００２２】
例えば、外部電源２１を用いた充電によってリチウムイオン二次電池１０を満充電の状態（ＳＯＣ(State Of Charge)＝１００％）にした後に、リチウムイオン二次電池１０に負荷２２を接続して連続放電を行わせる。そして、リチウムイオン二次電池１０の電圧が終止電圧に到達するまでの時間を計測することにより、リチウムイオン二次電池１０の容量を測定することができる。ここで、リチウムイオン二次電池１０の正極端子および負極端子に電圧センサを接続しておけば、コントローラ４０は、電圧センサの出力に基づいて、リチウムイオン二次電池１０の電圧を監視することができる。
【００２３】
ステップＳ１０２において、コントローラ４０は、リチウムイオン二次電池１０の容量低下率を算出する。容量低下率とは、リチウムイオン二次電池１０の初期容量（基準容量又は定格容量）に対して、現在の容量がどれだけ低下しているかを示す値であり、リチウムイオン二次電池１０の劣化状態を特定するためのパラメータである。リチウムイオン二次電池１０の容量低下率は、例えば、以下の式（１）によって算出することができる。
【００２４】
容量低下率[％]＝（Ｃｒｅｆ−Ｃｃｕｒ）／Ｃｒｅｆ×１００  ・・・（１）
ここで、Ｃｒｅｆは、リチウムイオン二次電池１０の初期容量（基準容量又は定格容量）を示している。Ｃｃｕｒは、ステップＳ１０１で測定されたリチウムイオン二次電池１０の容量、言い換えれば、現在におけるリチウムイオン二次電池１０の容量を示している。リチウムイオン二次電池１０の劣化が進行するほど、リチウムイオン二次電池１０の現在の容量は低下する。
【００２５】
また、ステップＳ１０２において、コントローラ４０は、算出した容量低下率が第１基準値Ｒａよりも高いか否かを判別する。第１基準値Ｒａの具体的な数値は、リチウムイオン二次電池１０の容量が低下し始めているか否かを判断する観点から、適宜設定することができる。例えば、第１基準値Ｒａとして、１％に設定することができる。
【００２６】
ステップＳ１０２において、容量低下率が第１基準値Ｒａよりも高いときには、ステップＳ１０３に進む。一方、容量低下率が第１基準値Ｒａよりも低いときには、リチウムイオン二次電池１０が劣化していないと判断して、本処理を終了する。
【００２７】
ステップＳ１０３において、コントローラ４０は、リチウムイオン二次電池１０の容量を回復させる処理を行う。具体的には、定電圧又は定電流の条件において、リチウムイオン二次電池１０を放電させる。リチウムイオン二次電池１０の容量を回復させる処理の詳細については、後述する。後述する容量の回復処理によれば、リチウムイオン二次電池１０の容量を初期容量に近づく方向に変化させることができる。
【００２８】
図３には、容量回復処理の回数とリチウムイオン二次電池１０の容量低下率との関係（一例）を示している。図３に示すように、容量回復処理の回数が増えるほど、容量低下率は下がっていく。ただし、容量回復処理を行う回数が所定回数を超えると、容量低下率はほとんど変化しなくなり、容量回復処理の効果は現れにくくなる。
【００２９】
ステップＳ１０４において、コントローラ４０は、容量回復処理（ステップＳ１０３の処理）を行った後に、リチウムイオン二次電池１０の容量を測定し直し、リチウムイオン二次電池１０の容量回復率を算出する。容量回復率とは、容量回復処理によって、リチウムイオン二次電池１０の容量がどの程度回復したかを示す値である。容量回復率は、容量回復処理を行った後のリチウムイオン二次電池１０の容量と、容量回復処理を行う前のリチウムイオン二次電池１０の容量とに基づいて、算出される。容量回復率は、例えば、以下の式（２）によって算出することができる。
【００３０】
容量回復率＝今回の容量低下率−前回の容量低下率  ・・・（２）
ここで、前回の容量低下率とは、初期容量と、容量回復処理を行う前のリチウムイオン二次電池１０の容量とに基づいて算出される値であり、ステップＳ１０２の処理で算出された値である。今回の容量低下率とは、初期容量と、容量回復処理を行った後のリチウムイオン二次電池１０の容量とに基づいて算出される値であり、ステップＳ１０２で説明した算出方法と同様の算出方法によって得ることができる。
【００３１】
ステップＳ１０４において、コントローラ４０は、容量回復率が、許容値よりも低いか否かを判別し、容量回復率が許容値よりも低ければ、ステップＳ１０５に進む。また、容量回復率が許容値よりも高ければ、ステップＳ１０３に戻り、容量回復処理を行う。本実施例では、容量回復率が許容値よりも低くなるまでは、容量回復処理が繰り返して行われる。ステップＳ１０４の処理では、容量低下率がほとんど変化しなくなったか否かを判断するようにしており、この観点に基づいて、ステップＳ１０４の処理で用いられる許容値を設定することができる。
【００３２】
ステップＳ１０５において、コントローラ４０は、容量回復処理を行った後におけるリチウムイオン二次電池１０の容量低下率が、第２基準値Ｒｂよりも低いか否かを判別する。ここでの容量低下率は、初期容量と、ステップＳ１０４からステップＳ１０５に進んだときのリチウムイオン二次電池１０の容量とに基づいて算出された値である。また、第２基準値Ｒｂは、第１基準値Ｒａよりも高い値であって、リチウムイオン二次電池１０の充放電を制限する観点から適宜設定された値（閾値）である。第２基準値Ｒｂとして、例えば、５％に設定することができる。
【００３３】
ステップＳ１０５において、リチウムイオン二次電池１０の容量低下率が第２基準値Ｒｂよりも低いと判別されれば、本処理を終了する。また、リチウムイオン二次電池１０の容量低下率が第２基準値Ｒｂよりも高いと判別されれば、ステップＳ１０６に進む。
【００３４】
ステップＳ１０６において、コントローラ４０は、リチウムイオン二次電池１０の容量低下率が第３基準値Ｒｃよりも低いか否かを判別する。第３基準値Ｒｃは、第２基準値Ｒｂよりも高い値であって、リチウムイオン二次電池１０の充放電を禁止すべきか否かを判断する観点から適宜設定された値（閾値）である。第３基準値Ｒｃとして、例えば、１０％に設定することができる。
【００３５】
ステップＳ１０６において、容量低下率が第３基準値Ｒｃよりも低いと判別されれば、ステップＳ１０７に進み、容量低下率が第３基準値Ｒｃよりも高いと判別されれば、ステップＳ１０８に進む。
【００３６】
ステップＳ１０６の処理では、リチウムイオン二次電池１０の充放電を禁止するか否かの判断を行っている。ここで、容量低下率が第２基準値Ｒｂおよび第３基準値Ｒｃの間の範囲内に含まれていれば、リチウムイオン二次電池１０の充放電を制限する必要があると判断して、ステップＳ１０７の処理を行う。一方、容量低下率が第３基準値Ｒｃよりも高ければ、リチウムイオン二次電池１０の充放電を禁止する必要があると判断して、ステップＳ１０８の処理を行う。
【００３７】
ステップＳ１０７において、コントローラ４０は、リチウムイオン二次電池１０の充放電に用いられる制御パラメータを変更する。すなわち、リチウムイオン二次電池１０の入出力が制限されるように、制御パラメータを変更する。制御パラメータとしては、例えば、リチウムイオン二次電池１０の電圧の上限値および下限値や、リチウムイオン二次電池１０の入出力時における電力の上限値といったものが挙げられる。
【００３８】
本実施例では、ステップＳ１０７の処理で制御パラメータを変更することにより、容量低下率が第２基準値Ｒｂであるときのリチウムイオン二次電池１０の劣化状態に応じた充放電制御を行うようにしている。ステップＳ１０６からステップＳ１０７に進む場合には、容量回復処理を行っても容量を回復することができない劣化状態として、容量低下率が、少なくとも第２基準値Ｒｂよりも高い状態となっている。そこで、本実施例では、リチウムイオン二次電池１０は、容量低下率が第２基準値Ｒｂであるときの劣化状態にあると特定し、この劣化状態に応じた制御パラメータを用いるようにしている。
【００３９】
なお、ステップＳ１０７の処理では、容量低下率が第２基準値Ｒｂであるときのリチウムイオン二次電池１０の劣化状態に対応した制御パラメータを設定するようにしているが、これに限るものではない。例えば、制御パラメータとして、実際の容量低下率から特定されるリチウムイオン二次電池１０の劣化状態に対応したパラメータを用いることができる。ここで、容量低下率および制御パラメータの対応関係を示すマップを予め用意しておけば、このマップを用いることにより、実際の容量低下率に応じた制御パラメータを選択することができる。
【００４０】
ステップＳ１０８において、コントローラ４０は、リチウムイオン二次電池１０の使用を禁止することを示すフラグをたてる。使用禁止のフラグが設定されたときには、リチウムイオン二次電池１０の充放電を禁止することを示す情報を、ユーザに提供することができる。例えば、音声や表示を用いて、リチウムイオン二次電池１０の充放電を禁止することをユーザに知らせることができる。これにより、ユーザは、劣化状態のリチウムイオン二次電池１０を新しいリチウムイオン二次電池１０と交換することができる。
【００４１】
次に、図２におけるステップＳ１０３の処理（容量回復処理）について、具体的に説明する。
【００４２】
リチウムイオン二次電池１０の容量を回復させる処理を行う場合には、所定の放電レートで放電を行う。例えば、０．１Ｃの放電レートで過放電を行い、リチウムイオン二次電池１０の電圧が１．５[Ｖ]に到達したときに、リチウムイオン二次電池１０の過放電を停止させることができる。容量回復処理において、放電レートや、放電を停止させる電圧値は、上述した値に限るものではなく、適宜設定することができる。
【００４３】
リチウムイオン二次電池１０では、正極および負極の間で移動するリチウムイオンの量が減少すれば、リチウムイオン二次電池１０の容量が低下してしまう。言い換えれば、リチウムイオン二次電池１０の正極および負極における化学反応に寄与しなくなったリチウムイオンの量が増加すると、リチウムイオン二次電池１０の容量が低下してしまう。
【００４４】
化学反応に寄与しなくなったリチウムイオンは、過放電を行うことにより、再び化学反応に寄与させることができることがある。すなわち、リチウムイオン二次電池１０には、一次的に劣化している成分が含まれており、過放電による容量回復処理を行うことにより、劣化成分を正常な状態に戻すことができる。
【００４５】
ここで、容量回復処理を行ったリチウムイオン二次電池１０については、１２時間程度、保存（放置）しておくことが好ましい。これにより、リチウムイオン二次電池１０の容量回復率を向上させることができる。
【００４６】
図４には、リチウムイオン二次電池１０の容量回復率と、リチウムイオン二次電池１０の保存時間との関係（実験結果）を示している。また、図５には、保存時間当たりの容量回復率（容量回復率を保存時間で除算した値）と、保存時間との関係（実験結果）を示している。図４および図５に示す結果は、以下に説明する実験によって得られた。
【００４７】
０．１Ｃの放電レートで過放電を行い、リチウムイオン二次電池１０の電圧が１．５[Ｖ]に到達したときに、リチウムイオン二次電池１０の放電を停止させた。そして、放電を停止させてからの時間（保存時間）を変更しながら、リチウムイオン二次電池１０の容量回復率を測定した。
【００４８】
図４に示すように、保存時間が１２時間に到達するまでは、容量回復率が上昇しており、保存時間が１２時間を超えると、容量回復率がほとんど変化しなくなる。このため、容量回復処理を行った後におけるリチウムイオン二次電池１０の保存時間を、１２時間程度に設定すれば、容量回復率を最も高めることができる。
【００４９】
また、図５に示すように、保存時間が１２時間であるときに、保存時間当たりの容量回復率が最も高くなっている。このため、保存時間を１２時間程度に設定することにより、効率良く容量を回復させることができる。リチウムイオン二次電池１０の保存時間を設定する場合には、図２に示すフローチャートにおいて、保存時間が設定時間に到達しているか否かの判断を行う処理を加えることができる。この処理は、具体的には、ステップＳ１０５の処理を行う前に行うことができる。
【００５０】
一方、リチウムイオン二次電池１０を保存させるときの電圧は、２．８[Ｖ]以下であることが好ましい。これにより、リチウムイオン二次電池１０の容量回復率を向上させることができる。
【００５１】
図６には、リチウムイオン二次電池１０を保存したときの電圧値と、リチウムイオン二次電池１０の容量回復率との関係（実験結果）を示している。図６に示す結果は、０．１Ｃの放電レートで過放電を行い、放電を停止させるときのリチウムイオン二次電池１０の電圧を変化させた。また、放電を停止させた後の保存時間は、１２時間とし、容量回復処理の回数は、１回とした。
【００５２】
図６に示すように、リチウムイオン二次電池１０の電圧が２．８[Ｖ]を超えると、リチウムイオン二次電池１０の容量回復率が大幅に低下してしまう。また、リチウムイオン二次電池１０の電圧が２．８[Ｖ]よりも低ければ、容量回復率を高い状態に維持することができる。ここで、リチウムイオン二次電池１０の電圧が低すぎると、電圧低下に伴う劣化が発生してしまい、好ましくない。そこで、リチウムイオン二次電池１０の電圧は、１．５[Ｖ]以上とすることが好ましい。
【００５３】
一方、リチウムイオン二次電池１０を保存するときの温度は、２５℃から４５℃の範囲内に設定することが好ましい。これにより、リチウムイオン二次電池１０の容量回復率を向上させることができる。
【００５４】
図７には、リチウムイオン二次電池１０を保存したときの温度と、リチウムイオン二次電池１０の容量回復率との関係（実験結果）を示している。図７に示す結果は、以下に説明する実験から得られた。
【００５５】
０．１Ｃの放電レートで過放電を行い、リチウムイオン二次電池１０の電圧が２．８[Ｖ]に到達したときに、リチウムイオン二次電池１０の放電を停止させた。ここで、放電を停止させた後の保存時間を１２時間とし、容量回復処理の回数は、１回とした。そして、リチウムイオン二次電池１０の保存時間を変化させながら、容量回復率を求めた。
【００５６】
図７に示すように、リチウムイオン二次電池１０の保存温度が、２５〜４５℃の範囲では、他の温度領域よりも容量回復率が高くなっている。ここで、２５℃よりも低い温度範囲や、４５℃よりも高い温度範囲であっても、容量回復の効果は得られるが、容量を回復させる効率を考慮すると、リチウムイオン二次電池１０の保存温度を、２５〜４５℃の範囲内の値に設定することが好ましい。
【００５７】
リチウムイオン二次電池１０を保存するときに、リチウムイオン二次電池１０の温度が設定温度よりも低ければ、ヒータを用いてリチウムイオン二次電池１０の温度を設定温度まで上昇させることができる。一方、リチウムイオン二次電池１０の温度が設定温度よりも高ければ、冷却用の気体や液体を用いて、リチウムイオン二次電池１０の温度を設定温度まで低下させることができる。
【００５８】
本実施例によれば、単なる容量の低下による劣化状態ではなく、容量を回復させることができない劣化状態に基づいて、リチウムイオン二次電池１０の充放電を行うことができる。すなわち、リチウムイオン二次電池１０の容量を回復させることができる範囲によって、リチウムイオン二次電池１０の充放電が制限されてしまうのを抑制することができる。これにより、リチウムイオン二次電池１０を効率良く使用することができ、リチウムイオン二次電池１０の寿命を向上させることができる。
【００５９】
また、リチウムイオン二次電池１０の容量を回復させることにより、容量が回復しなかった範囲をリチウムイオン二次電池１０の真の劣化状態として把握することができる。このようにリチウムイオン二次電池１０の真の劣化状態を特定すれば、充放電等によってリチウムイオン二次電池１０の容量が低下したとしても、見かけの容量ではなく、真の容量に基づいて、リチウムイオン二次電池１０の充放電を制御することができる。
【符号の説明】
【００６０】
１０：リチウムイオン二次電池        ２１：外部電源
２２：負荷                      ３１，３２：スイッチ
４０：コントローラ
【図１】
2011159545.tif 000003
【図２】
2011159545.tif 000004
【図３】
2011159545.tif 000005
【図４】
2011159545.tif 000006
【図５】
2011159545.tif 000007
【図６】
2011159545.tif 000008
【図７】
2011159545.tif 000009